(57)【特許請求の範囲】
【請求項１】
長手方向に延びており、容器の蓋に形成された貫通穴に挿通可能であり、かつ、同貫通穴の縁との間に隙間を形成可能であり、突起部を有し、同突起部は同長手方向に対して略直交する方向へ突起した、主軸部と、
該主軸部の前記長手方向の一端に連接されていると共に同長手方向に対して略直交する方向へ延びており、凸部を有し、同凸部は同主軸部との連接箇所から同長手方向と同じ方向に対して略直交する方向へ所定の距離ほど離れた位置から同長手方向と同じ方向へ突出しており、同長手方向と同じ方向における同凸部の位置は、同長手方向と同じ方向における前記突起部の位置よりも同連接箇所の近くにあり、かつ、弾性変形可能な天面部とを備え、
前記天面部は、同天面部の前記凸部が設けられた側とは反対側から同凸部の突出方向とは反対方向へ突出した掴み部を有し、
前記天面部の前記凸部が設けられた側とは反対側であると共に同主軸部との連接箇所に対応する箇所に同主軸部へ向けて窪んだ中央窪み部が形成されており、
前記天面部の前記凸部が設けられた側とは反対側に、前記中央窪み部と同天面部の縁とを結ぶように延びていると共に同中央窪み部と同じ方向へ窪んだ凹部が形成された
圧力調整弁。
【請求項２】
前記主軸部と前記天面部の連接箇所を中心として、前記凸部は環状に配置されており、
前記主軸部は複数の前記突起部を有し、複数の同突起部は、同主軸部の前記長手方向における位置が互いに略同じであり、かつ、同長手方向を中心とした周方向において同突起部は互いに等間隔に位置する
請求項１に記載の圧力調整弁。
【請求項３】
前記主軸部の前記突起部は弾性変形可能であり、同突起部の外形は湾曲している
請求項１または請求項２に記載の圧力調整弁。
【請求項４】
前記天面部の前記凸部が位置すると共に前記主軸部の前記長手方向と同じ方向に対して略直交する方向へ拡がった第１の仮想平面と、前記主軸部の前記突起部が位置すると共に同第１の仮想平面が拡がった方向と同じ方向へ拡がった第２の仮想平面との間の距離は、前記蓋の厚みより短い距離である
請求項３に記載の圧力調整弁。
【請求項５】
前記主軸部の前記長手方向の前記一端とは反対側である他端に連接されており、同主軸部の同長手方向と同じ方向に対して略直交する方向へ延びており、同主軸部の同長手方向と同じ方向に対して略直交する方向へ延びた先端の位置が、同主軸部の同長手方向に対して略直交する方向における前記突起部の位置よりも、同主軸部から離れた位置にあり、かつ、同先端が位置すると共に前記第２の仮想平面が拡がった方向と同じ方向へ拡がった第３の仮想平面と、同第２の仮想平面との間の距離は、前記第１の仮想平面と同第２の仮想平面との間の距離と略同じであり、弾性変形可能な底面部をさらに備える
請求項４に記載の圧力調整弁。
【発明の詳細な説明】
【技術分野】
【０００１】
本発明は圧力調整弁に関する。詳しくは、例えば焙煎されたコーヒー豆を保存するための容器に使用される圧力調整弁に係るものである。
【背景技術】
【０００２】
焙煎されたコーヒー豆は二酸化炭素を多く含んでおり、少しずつ二酸化炭素、すなわち炭酸ガスを放出している。
その結果、コーヒー豆を容器に入れ、蓋をして保存しておくと、放出された炭酸ガスによって容器内部の気圧は上昇する。
従って、適宜、容器内部の二酸化炭素を容器の外部へ放出しなければ、上昇した容器内部の圧力によって蓋が外れてしまうという問題があった。
【０００３】
そこで、容器内部の上昇した圧力を適宜下げるための様々な技術が提案されている。
例えば特許文献１には、図７に示すような圧力調整弁が記載されている。
【０００４】
すなわち、特許文献１に記載の圧力調整弁２０１は、柱状部２２０と、柱状部２２０の一端に取付けられた可逆的に開閉する笠部２１０と、柱状部２２０の他端に取付けられた円錐台状のつば部２３０とを有する。
【０００５】
また、容器の上蓋３０２に形成された弁孔３０２Ａに、つば部２３０が押し込まれ、そして柱状部２２０が弁孔３０２Ａに挿通されて、圧力調整弁２０１が容器の上蓋３０２に取付けられる。
【０００６】
また、柱状部２２０の側面には縦溝２２１が設けられており、また、つば部２３０の上面には横溝２３１が設けられている。
そして、容器内にガスが発生して圧力が高まると、そのガスが横溝２３１と縦溝２２１を介して笠部２１０の内側２１１に通じられる。
その結果、笠部２１０の内側２１１へ圧力が通じられ、その圧力が、笠部２１０が開く一定の圧力を超えると、笠部２１０が開くように変形して外気と連通し、圧力を調整する。
【先行技術文献】
【特許文献】
【０００７】
【特許文献１】特開２００４−１９０８０２号公報
【発明の概要】
【発明が解決しようとする課題】
【０００８】
特許文献１に記載の圧力調整弁は、笠部が開くように変形したり閉じるように変形したりして容器内部の圧力を調整できるが、圧力調整弁が弁孔、すなわち容器の蓋に形成された貫通穴を塞いだ状態か否かを認識され難いという問題があった。
【０００９】
ここで、圧力調整弁が貫通穴を塞いだ状態のときは容器の蓋を開け難いのであるが、蓋を開けるときに圧力調整弁が蓋の貫通穴を塞いだ状態なのか、または圧力調整弁は貫通穴を外気と連通させた状態なのかが判れば、圧力調整弁が貫通穴を塞いだ状態のときに必死に蓋を開けようとする行為を回避でき、このような圧力調整弁が望まれていた。
【００１０】
本発明は、以上の点に鑑みて創案されたものであり、容器内部の圧力を調整できると共に、容器の蓋に形成された貫通穴を塞いだ状態か否かを認識され易い圧力調整弁を提供することを目的とする。
【課題を解決するための手段】
【００１１】
上記の目的を達成するために、本発明の圧力調整弁は、長手方向に延びており、容器の蓋に形成された貫通穴に挿通可能であり、かつ、同貫通穴の縁との間に隙間を形成可能であり、突起部を有し、同突起部は同長手方向に対して略直交する方向へ突起した、主軸部と、該主軸部の前記長手方向の一端に連接されていると共に同長手方向に対して略直交する方向へ延びており、凸部を有し、同凸部は同主軸部との連接箇所から同長手方向と同じ方向に対して略直交する方向へ所定の距離ほど離れた位置から同長手方向と同じ方向へ突出しており、同長手方向と同じ方向における同凸部の位置は、同長手方向と同じ方向における前記突起部の位置よりも同連接箇所の近くにあり、かつ、弾性変形可能な天面部とを備える。
【００１２】
ここで、「所定の距離」とは、主軸部が容器の蓋の貫通穴に挿通されたときに、凸部が蓋に当接できる距離を意味する。
長手方向に延びており、容器の蓋に形成された貫通穴に挿通可能であり、かつ、貫通穴の縁との間に隙間を形成可能である主軸部と、主軸部の長手方向の一端に連接されていると共に長手方向に対して略直交する方向へ延びており、凸部を有し、凸部は主軸部との連接箇所から長手方向と同じ方向に対して略直交する方向へ所定の距離ほど離れた位置から長手方向と同じ方向へ突出し、弾性変形可能な天面部とによって、主軸部が容器の蓋の貫通穴に挿通された状態のときに、凸部が蓋の外側面に当接して本発明の圧力調整弁は容器を密閉することができると共に、主軸部が貫通穴の縁との間に隙間を形成可能なので、弾性変形して少なくとも一部の凸部が蓋から離れて容器の外部と容器の内部とを連通し、容器の内部の圧力を低下させることができる。
【００１３】
また、突起部を有し、突起部は長手方向に対して略直交する方向へ突起した、主軸部と、長手方向と同じ方向における凸部の位置は、長手方向と同じ方向における突起部の位置よりも連接箇所の近くにある、天面部とによって、突起部を容器の蓋の外側面に当接させたときに、天面部の少なくとも一部の凸部が蓋の外側面から離れた状態を維持しておくことができる。
【００１４】
また、突起部を有し、突起部は長手方向に対して略直交する方向へ突起した、主軸部と、長手方向と同じ方向における凸部の位置は、長手方向と同じ方向における突起部の位置よりも連接箇所の近くにある、天面部とによって、本発明の圧力調整弁を容器の蓋に取付けたときに、凸部が位置すると共に長手方向に対して略直交する方向へ拡がった仮想平面と、突起部が位置すると共に長手方向に対して略直交する方向へ拡がった仮想平面との間に容器の蓋が位置することになる。
そして、凸部と突起部の両方が蓋に当接して押されると、天面部の弾性変形によって凸部が元の位置に戻ろうとする力、すなわち応力が生じ、この応力が蓋を押す力となる。その結果、突起部が無い構成よりも凸部を容器の蓋に密着させ易くなり密封状態を強めることができる。
【００１５】
また、本発明の圧力調整弁において、主軸部と天面部の連接箇所を中心として、凸部は環状に配置されており、主軸部は複数の突起部を有し、複数の突起部は、主軸部の長手方向における位置が互いに略同じであり、かつ、長手方向を中心とした周方向において突起部は互いに等間隔に位置する構成とすることができる。
【００１６】
この場合、天面部の凸部全体を容器の蓋の外側面から離すことができ、また、この状態を安定して維持し易くなり、本発明の圧力調整弁が貫通穴を塞いでいない状態、すなわち開状態であることをさらに明確に示すことができる。
また、本発明の圧力調整弁が貫通穴を塞いだ状態、すなわち閉状態である場合には、主軸部の長手方向を中心とした周方向において均一に凸部の応力が生じ、周方向において均一に密封状態を強めることができる。
【００１７】
さらに、本発明の圧力調整弁において、主軸部の突起部は弾性変形可能であり、突起部の外形は湾曲している構成とすることができる。
【００１８】
この場合、主軸部が容器の蓋の貫通穴に挿通された状態の本発明の圧力調整弁の天面部が、引っ張られたり天面部が押されたりしたときに、突起部が貫通穴の縁に当たりながらも縁を乗り越え易くなるので、本発明の圧力調整弁が貫通穴を塞いでいない状態、すなわち開状態と本発明の圧力調整弁が貫通穴を塞いだ状態、すなわち閉状態との間の切り換えを、使用者の手に感じさせ易くすることができる。
【００１９】
また、突起部が弾性変形可能な本発明の圧力調整弁において、天面部の凸部が位置すると共に主軸部の長手方向と同じ方向に対して略直交する方向へ拡がった第１の仮想平面と、主軸部の突起部が位置すると共に第１の仮想平面が拡がった方向と同じ方向へ拡がった第２の仮想平面との間の距離は、蓋の厚みより短い距離である構成とすることができる。
【００２０】
この場合、本発明の圧力調整弁を容器の蓋に取付けたときに、天面部の凸部と主軸部の突起部とで容器の蓋を挟み、凸部と突起部とが蓋によって押され、天面部の弾性変形によって凸部が元の位置に戻ろうとする力、すなわち応力と、突起部の弾性変形によって突起部が元の位置に戻ろうとする力とが生じる。
そして、凸部の応力と突起部の応力はどちらも蓋を押す力であると共に互いに反対側から蓋を押すので、突起部の応力が生じる分、突起部が弾性変形しない構成よりも凸部を容器の蓋に密着でき、密封状態をさらに強めることができる。
【００２１】
また、本発明の圧力調整弁において、天面部は、天面部の凸部が設けられた側とは反対側から凸部の突出方向とは反対方向へ突出した掴み部を有し、天面部の凸部が設けられた側とは反対側であると共に主軸部との連接箇所に対応する箇所に主軸部へ向けて窪んだ中央窪み部が形成されており、天面部の凸部が設けられた側とは反対側に、中央窪み部と天面部の縁とを結ぶように延びていると共に同中央窪み部と同じ方向へ窪んだ凹部が形成された構成とすることができる。
【００２２】
この場合、掴み部によって、使用者は掴み部を掴んで天面部の少なくとも一部を持ち上げ、少なくとも一部の凸部を容器の蓋の外側面から離し易くすることができる。
また、中央窪み部と凹部とによって、天面部が弾性変形し易くなり、少なくとも一部の凸部が容器の蓋の外側面から離れ易くなる。
【００２３】
また、本発明の圧力調整弁は、主軸部の長手方向の一端とは反対側である他端に連接されており、主軸部の長手方向と同じ方向に対して略直交する方向へ延びており、主軸部の長手方向と同じ方向に対して略直交する方向へ延びた先端の位置が、主軸部の長手方向に対して略直交する方向における突起部の位置よりも、主軸部から離れた位置にあり、かつ、先端が位置すると共に第２の仮想平面が拡がった方向と同じ方向へ拡がった第３の仮想平面と、第２の仮想平面との間の距離は、第１の仮想平面と第２の仮想平面との間の距離と略同じであり、弾性変形可能な底面部をさらに備える構成とすることができる。
【００２４】
この場合、主軸部が長手方向と同じ方向へ動き、主軸部の突起部が、容器の蓋の貫通穴の縁を乗り越えて蓋の外側へ移動したときに、今度は主軸部の突起部と底面部とで容器の蓋を挟み、突起部と底面部とが蓋によって押され、突起部の弾性変形によって突起部が元の位置に戻ろうとする力、すなわち応力と、底面部の弾性変形によって底面部が元の位置に戻ろうとする力とが生じる。
そして、突起部の応力と底面部の応力はどちらも蓋を押す力であると共に互いに反対側から蓋を押すので、突起部と底面部とが容器の蓋に密着でき、天面部の一部の凸部が蓋の外側面から離れた状態または天面部の凸部全体が蓋の外側面から離れた状態を安定させることができる。
【００２５】
また、主軸部の突起部が、容器の蓋の貫通穴の縁を乗り越えて蓋の外側へ移動した後に、底面部が貫通穴の縁を乗り越え難くなり、本発明の圧力調整弁が蓋の貫通穴から抜け落ち難くなる。
これは、すなわち、主軸部の長手方向と同じ方向に対して略直交する方向へ延びた底面部の先端の位置が、主軸部の長手方向に対して略直交する方向における突起部の位置よりも、主軸部から離れた、つまり遠い位置にあるからである。
【００２６】
また、上記の目的を達成するために、本発明の圧力調整弁は、長手方向に延びており、容器の蓋に形成された貫通穴に挿通可能であり、複数の突起部を有し、複数の同突起部は同長手方向に対して略直交する方向へ突起しており、複数の同突起部の同長手方向における位置は互いに略同じであり、同長手方向を中心とした周方向において同突起部は互いに等間隔に位置し、同突起部は弾性変形可能であると共に同突起部の外形は湾曲しており、かつ、同長手方向を中心とした周方向において、同貫通穴の同縁との間に隙間を形成可能な領域である隙間形成領域と同突起部を一部に有する領域である突起領域とが交互に存在し、弾性変形可能な主軸部と、該主軸部の前記長手方向の一端に連接されていると共に同長手方向と同じ方向に対して略直交する方向へ延びており、凸部を有し、同凸部は同主軸部との連接箇所から同長手方向と同じ方向に対して略直交する方向へ所定の距離ほど離れた位置から同長手方向と同じ方向へ突出していると共に同連接箇所を中心として環状に配置されており、同長手方向と同じ方向における同凸部の位置は、同長手方向と同じ方向における前記突起部の位置よりも同連接箇所の近くにあり、同凸部が位置すると共に同主軸部の同長手方向と同じ方向に対して略直交する方向へ拡がった第１の仮想平面と、同主軸部の同突起部が位置すると共に同第１の仮想平面が拡がった方向と同じ方向へ拡がった第２の仮想平面との間の距離は前記蓋の厚みより短い距離であり、かつ、弾性変形可能な天面部と、前記主軸部の前記長手方向の前記一端とは反対側である他端に、前記突起領域との間に段差を形成するように連接されており、同主軸部の同長手方向と同じ方向に対して略直交する方向へ延びており、同主軸部の同長手方向と同じ方向に対して略直交する方向へ延びた先端の位置が、同主軸部の同長手方向に対して略直交する方向における前記突起部の位置よりも、同主軸部から離れた位置にあり、かつ、同先端が位置すると共に前記第２の仮想平面が拡がった方向と同じ方向へ拡がった第３の仮想平面と同第２の仮想平面との間の距離は、前記第１の仮想平面と同第２の仮想平面との間の距離と略同じであり、弾性変形可能な底面部とを備える。
【００２７】
ここで、「所定の距離」とは、主軸部が容器の蓋の貫通穴に挿通されたときに、凸部が蓋に当接できる距離を意味する。
長手方向に延びており、容器の蓋に形成された貫通穴に挿通可能であり、貫通穴の同縁との間に隙間を形成可能な領域である隙間形成領域が存在する、主軸部と、主軸部の長手方向の一端に連接されていると共に同長手方向と同じ方向に対して略直交する方向へ延びており、凸部を有し、同凸部は同主軸部との連接箇所から同長手方向と同じ方向に対して略直交する方向へ所定の距離ほど離れた位置から同長手方向と同じ方向へ突出しており、弾性変形可能な天面部とによって、主軸部が容器の蓋の貫通穴に挿通された状態のときに、凸部が蓋の外側面に当接して本発明の圧力調整弁は容器を密閉することができると共に、主軸部が貫通穴の縁との間に隙間を形成可能なので、弾性変形して少なくとも一部の凸部が蓋から離れて容器の外部と容器の内部とを連通し、容器の内部の圧力を低下させることができる。
【００２８】
また、複数の突起部を有し、複数の突起部の長手方向における位置は互いに略同じであり、長手方向を中心とした周方向において突起部は互いに等間隔に位置した、主軸部と、長手方向と同じ方向における凸部の位置は、長手方向と同じ方向における突起部の位置よりも連接箇所の近くにある、天面部とによって、突起部を容器の蓋の外側面に当接させたときに、天面部の凸部全体を容器の蓋の外側面から離すことができ、また、この状態を安定して維持し易くなり、本発明の圧力調整弁が貫通穴を塞いでいない状態、すなわち開状態であることをさらに明確に示すことができる。
【００２９】
また、複数の突起部を有し、複数の突起部は長手方向に対して略直交する方向へ突起した、主軸部と、長手方向と同じ方向における凸部の位置は、長手方向と同じ方向における突起部の位置よりも連接箇所の近くにある、天面部とによって、本発明の圧力調整弁を容器の蓋に取付けたときに、凸部が位置すると共に長手方向に対して略直交する方向へ拡がった仮想平面と、突起部が位置すると共に長手方向に対して略直交する方向へ拡がった仮想平面との間に容器の蓋が位置することになる。
そして、凸部と突起部の両方が蓋に当接して押されると、天面部の弾性変形によって凸部が元の位置に戻ろうとする力、すなわち応力が生じ、この応力が蓋を押す力となる。その結果、突起部が無い構成よりも凸部を容器の蓋に密着させ易くなり密封状態を強めることができる。
また、本発明の圧力調整弁が貫通穴を塞いだ状態、すなわち閉状態である場合には、主軸部の長手方向を中心とした周方向において均一に凸部の応力が生じ、周方向において均一に密封状態を強めることができる。
【００３０】
また、突起部は弾性変形可能であると共に突起部の外形は湾曲していることによって、主軸部が容器の蓋の貫通穴に挿通された状態の本発明の圧力調整弁の天面部が、引っ張られたり天面部が押されたりしたときに、突起部が貫通穴の縁に当たりながらも縁を乗り越え易くなるので、本発明の圧力調整弁が貫通穴を塞いでいない状態、すなわち開状態と本発明の圧力調整弁が貫通穴を塞いだ状態、すなわち閉状態との間の切り換えを、使用者の手に感じさせ易くすることができる。
【００３１】
また、隙間形成領域と突起領域とが交互に存在する主軸部によって、容器の内部の気体を、貫通穴の縁と隙間形成領域との間の隙間から偏りなく容器の外部へ放出することができ、また、天面部の凸部全体を容器の蓋の外側面から離すことができ、さらに、この状態を安定して維持し易くなり、本発明の圧力調整弁が開状態であることをさらに明確に示すことができる。
【００３２】
また、凸部が位置すると共に主軸部の長手方向と同じ方向に対して略直交する方向へ拡がった第１の仮想平面と、主軸部の突起部が位置すると共に第１の仮想平面が拡がった方向と同じ方向へ拡がった第２の仮想平面との間の距離は蓋の厚みより短い距離であることによって、本発明の圧力調整弁を容器の蓋に取付けたときに、天面部の凸部と主軸部の突起部とで容器の蓋を挟み、凸部と突起部とが蓋によって押され、天面部の弾性変形によって凸部が元の位置に戻ろうとする力、すなわち応力と、突起部の弾性変形によって突起部が元の位置に戻ろうとする力とが生じる。
そして、凸部の応力と突起部の応力はどちらも蓋を押す力であると共に互いに反対側から蓋を押すので、突起部の応力が生じる分、突起部が弾性変形しない構成よりも凸部を容器の蓋に密着でき、密封状態をさらに強めることができる。
【００３３】
また、主軸部の長手方向の一端とは反対側である他端に、突起領域との間に段差を形成するように連接されており、主軸部の長手方向と同じ方向に対して略直交する方向へ延びており、主軸部の長手方向と同じ方向に対して略直交する方向へ延びた先端の位置が、主軸部の長手方向に対して略直交する方向における突起部の位置よりも、主軸部から離れた位置にあり、かつ、先端が位置すると共に第２の仮想平面が拡がった方向と同じ方向へ拡がった第３の仮想平面と第２の仮想平面との間の距離は、第１の仮想平面と第２の仮想平面との間の距離と略同じであり、弾性変形可能な底面部によって、主軸部が長手方向と同じ方向へ動き、主軸部の突起部が、容器の蓋の貫通穴の縁を乗り越えて蓋の外側へ移動したときに、今度は主軸部の突起部と底面部とで容器の蓋を挟み、突起部と底面部とが蓋によって押され、突起部の弾性変形によって突起部が元の位置に戻ろうとする力、すなわち応力と、底面部の弾性変形によって底面部が元の位置に戻ろうとする力とが生じる。
そして、突起部の応力と底面部の応力はどちらも蓋を押す力であると共に互いに反対側から蓋を押すので、突起部と底面部とが容器の蓋に密着でき、天面部の一部の凸部が蓋の外側面から離れた状態または天面部の凸部全体が蓋の外側面から離れた状態を安定させることができる。
【００３４】
また、このような底面部によって、主軸部の突起部が、容器の蓋の貫通穴の縁を乗り越えて蓋の外側へ移動した後に、底面部が貫通穴の縁を乗り越え難くなり、本発明の圧力調整弁が蓋の貫通穴から抜け落ち難くなる。
これは、すなわち、主軸部の長手方向と同じ方向に対して略直交する方向へ延びた底面部の先端の位置が、主軸部の長手方向に対して略直交する方向における突起部の位置よりも、主軸部から離れた、つまり遠い位置にあるからである。
【００３５】
また、突起領域との間に段差を形成するように、主軸部の他端に連接された底面部によって、突起部と底面部とが一直線上に配置された構成となり、一直線上に配置された、突起部と底面部とによって容器の蓋を安定して挟み易い。
【００３６】
また、弾性変形可能な突起部と、弾性変形可能な主軸部と、弾性変形可能な天面部と、弾性変形可能な底面部とによって、本発明の圧力調整弁を、弾性変形可能な素材で一体的に成形することができる。
【発明の効果】
【００３７】
本発明に係る圧力調整弁は、容器内部の圧力を調整できると共に、容器の蓋に形成された貫通穴を塞いだ状態か否かを認識され易い。
【図面の簡単な説明】
【００３８】
【図１】本発明を適用した圧力調整弁の一例を示す概略正面図（ａ）、及び本発明を適用した圧力調整弁の一例を示す概略平面図（ｂ）である。
【図２】図１に示した本発明を適用した圧力調整弁の概略底面図である。
【図３】図１（ｂ）のＡ−Ａ断面を示す概略断面図である。
【図４】密封容器の蓋に取付けられた本発明を適用した圧力調整弁が閉状態である場合の概略断面図である。
【図５】閉状態である本発明を適用した圧力調整弁が、密封容器の内圧を下げるときの様子の一例を示す概略断面図である。
【図６】密封容器の蓋に取付けられた本発明を適用した圧力調整弁が開状態である場合の概略断面図である。
【図７】容器の蓋に取付けられた従来の圧力調整弁の概略断面図である。
【発明を実施するための形態】
【００３９】
以下、本発明の実施の形態について図面を参照しながら説明し、本発明の理解に供する。
図１（ａ）は、本発明を適用した圧力調整弁の一例を示す概略正面図であり、図１（ｂ）は、本発明を適用した圧力調整弁の一例を示す概略平面図である。
また、図２は、図１に示した本発明を適用した圧力調整弁の概略底面図である。
また、図３は、図１（ｂ）のＡ−Ａ断面を示す概略断面図である。
【００４０】
図１に示す本発明の圧力調整弁１０は、例えば、焙煎されたコーヒー豆を保存するための密封容器に使用されるものである。
具体的には、本発明の圧力調整弁１０は、密封容器の蓋に形成された貫通穴に、その一部が挿通されて使用されるものである。
【００４１】
図１に示す本発明の圧力調整弁１０は、シリコーンゴム製の主軸部２０を備える。
ここで、主軸部２０は、長手方向に延びており、密封容器の蓋に形成された貫通穴に挿通可能である。
また、主軸部２０はシリコーンゴム製であるので、弾性変形可能である。
【００４２】
また、主軸部２０は、３つの突起部２１を有する。
３つの突起部２１は、主軸部２０の長手方向に対して略直交する方向へ突起している。
【００４３】
また、３つの突起部２１の、主軸部２０の長手方向における位置は互いに略同じである。
また、３つの突起部２１は、主軸部２０の長手方向を中心とした周方向において互いに等間隔に位置する。
すなわち、図１に示す本発明の圧力調整弁１０において、３つの突起部２１は、主軸部２０の長手方向を中心として、互いに中心角が１２０度となる箇所に位置している。
【００４４】
また、主軸部２０は、３つの突起領域２０Ａと、３つの隙間形成領域２０Ｂとを有する。
ここで、突起領域２０Ａは、突起部２１を一部に有する領域であり、隙間形成領域２０Ｂは、密封容器の蓋に形成された貫通穴の縁との間に隙間を形成可能な領域である。
【００４５】
また、３つの突起領域２０Ａと、３つの隙間形成領域２０Ｂは、主軸部２０の長手方向を中心とした周方向において交互に存在している。
【００４６】
また、突起領域２０Ａは、主軸部２０の長手方向へ拡がった略平坦な面で構成されており、その一部に突起部２１が設けられている。
また、突起領域２０Ａは、主軸部２０の長手方向へ延びた仮想中心軸線（図示せず。）を中心として径方向へ向いている。
【００４７】
また、隙間形成領域２０Ｂは、突起領域２０Ａに対して略直交して連接されていると共に、主軸部２０の長手方向へ拡がった２つの略平坦な面で構成されている。
すなわち、隙間形成領域２０Ｂは、異なる２つの突起領域２０Ａにそれぞれ連接された２つの略平坦な面で構成されている。
また、隙間形成領域２０Ｂにおいて、２つの略平坦な面同士の連接部分が位置する、主軸部２０の仮想中心軸線を中心とした仮想円は、突起領域２０Ａが位置する、主軸部２０の仮想中心軸線を中心とした仮想円よりも小さい。
【００４８】
従って、主軸部２０が、蓋の貫通穴に挿通されたときに、突起領域２０Ａは貫通穴の縁に当接する位置か、或いは貫通穴の縁に近い位置にあるのに対し、隙間形成領域２０Ｂは、貫通穴の縁から離れた位置にあり、隙間形成領域２０Ｂは、蓋の貫通穴の縁との間に隙間を形成できる。
【００４９】
また、３つの突起部２１はシリコーンゴム製であり、弾性変形可能である。
また、３つの突起部２１は半球体であり、その外形は湾曲している。
【００５０】
また、主軸部２０の長手方向を中心とした周方向において、突起領域２０Ａと隙間形成領域２０Ｂは交互に存在している。
【００５１】
また、本発明の圧力調整弁１０は、シリコーンゴム製の天面部３０を備える。
ここで、天面部３０は、主軸部２０の長手方向の一端に連接されている。
また、天面部３０は、主軸部２０の長手方向と同じ方向に対して略直交する方向へ延びている。
【００５２】
また、図１（ｂ）に示すように、天面部３０の外形は略円形であるが、この形状に限定されないことは勿論である。
また、天面部３０はシリコーンゴム製であるので、弾性変形可能である。
【００５３】
また、天面部３０は、凸部３１を有する。
ここで、凸部３１は、天面部３０の所定の位置から主軸部２０の長手方向と同じ方向へ突出している。
すなわち、凸部３１が突出している天面部３０の所定の位置は、天面部３０の、主軸部２０との連接箇所３６から主軸部２０の長手方向と同じ方向に対して略直交する方向へ、所定の距離ほど離れた位置である。
【００５４】
また、「所定の距離」とは、主軸部２０が密封容器の蓋に形成された貫通穴に挿通されたときに、凸部３１が蓋に当接できる距離を意味する。
また、天面部３０の凸部３１が蓋に当接するので、本発明の圧力調整弁１０が、貫通穴を通って容器本体内に落下してしまうことはない。
【００５５】
また、凸部３１は、連接箇所３６を中心として環状に配置されている。
また、凸部３１と連接箇所３６との間には、略平坦な受圧領域３２が設けられている。
すなわち、受圧領域３２も、連接箇所３６を中心として環状に配置されている。
【００５６】
また、凸部３１は、受圧領域３２と同一の平面から突出している。
ここで言う平面は、主軸部２０の長手方向と同じ方向に対して略直交する方向へ拡がった平面を意味する。
【００５７】
また、主軸部２０の長手方向と同じ方向における凸部３１の位置具体的には凸部３１の先端の位置は、主軸部２０の長手方向と同じ方向における突起部２１の位置よりも連接箇所３６の近くにある。
【００５８】
すなわち、凸部３１の先端が位置する仮想平面と、突起部２１の一部、すなわち突起部２１の連接箇所３６に近い方の部分が位置する仮想平面それぞれの、主軸部２０の長手方向と同じ方向へ延びていると共に連接箇所３６を通る仮想直線との交点の位置を意味している。
【００５９】
また、凸部３１が位置すると共に主軸部２０の長手方向と同じ方向に対して略直交する方向へ拡がった第１の仮想平面３１Ａと、主軸部２０の突起部２１が位置すると共に第１の仮想平面３１Ａが拡がった方向と同じ方向へ拡がった第２の仮想平面２２との間の距離は、密閉容器の蓋の厚みより短い距離である。
【００６０】
ここで、第１の仮想平面３１Ａは、密封容器の蓋と接する凸部３１の一部が位置する仮想平面であり、具体的には例えば、凸部３１の先端が位置する仮想平面である。
【００６１】
また、第２の仮想平面２２は、突起部２１の、密封容器の蓋と接する一部が位置する仮想平面である。すなわち、突起部２１は、本発明の圧力調整弁１０が閉状態のときと開状態のときとで、蓋と接する部分が異なるので、第２の仮想平面２２は、第２の仮想上平面２２Ａと、第２の仮想下平面２２Ｂとで構成されているものとする。
【００６２】
従って、本発明で言う、「第１の仮想平面と第２の仮想平面との間」とはすなわち、『第１の仮想平面と第２の仮想上平面との間』を意味し、「第２の仮想平面と第３の仮想平面との間」とはすなわち、『第２の仮想下平面と第３の仮想平面との間』を意味する。
【００６３】
また、凸部３１が設けられた側とは反対側の天面部３０の面の略中央部分に、中央窪み部３５が形成されている。
ここで、中央窪み部３５は、主軸部２０との連接箇所３６に対応する天面部３０の箇所に、主軸部２０へ向けて窪んでいる。
【００６４】
また、天面部３０の主軸部２０とは反対側に、３つの凹部３４が形成されている。
ここで、３つの凹部３４はそれぞれ、中央窪み部３５と天面部３０の外縁とを結ぶように延びていると共に、中央窪み部３５が窪んだ方向と同じ方向へ窪んでいる。
【００６５】
また、３つの凹部３４は、中央窪み部３５を中心とした周方向において互いに等間隔に位置する。
すなわち、図１に示す本発明の圧力調整弁１０において、３つの凹部３４は、中央窪み部３５を中心として、互いに中心角が１２０度となる箇所に位置している。
【００６６】
また、中央窪み部３５は、主軸部２０との連接箇所３６に対応する天面部３０の外側の箇所に形成されているので、凸部３１の位置から所定の距離ほど離れている。
すなわち、凸部３１は、主軸部２０との連接箇所３６から、主軸部２０の長手方向と同じ方向に対して略直交する方向へ所定の距離ほど離れた位置から突出しているからである。
【００６７】
また、凹部３４及び中央窪み部３５が形成された箇所は、天面部３０の他の箇所よりも厚みが小さいので弾性変形し易い。
従って、凸部３１が蓋の外側面から離れるときに、凹部３４や中央窪み部３５を軸として、それ以外の天面部の箇所が起き上がり易くなる。
【００６８】
また、天面部３０は、シリコーンゴム製の掴み部３３を有する。
ここで、掴み部３３は、天面部３０の凸部３１が設けられた側とは反対側から凸部３１の突出方向とは反対方向へ突出している。
【００６９】
また、本発明の圧力調整弁１０は、シリコーンゴム製の３つの底面部４０を備える。
ここで、３つの底面部４０は、主軸部２０の長手方向の一端とは反対側である他端に、突起領域２０Ａとの間に１対１で段差を形成するように連接されている。
【００７０】
また、３つの底面部４０は、主軸部２０の長手方向と同じ方向に対して略直交する方向へ延びている。
すなわち、３つの底面部４０は、主軸部２０の長手方向を中心として、互いに中心角が１２０度となる箇所に位置している。
【００７１】
また、主軸部２０の長手方向と同じ方向に対して略直交する方向へ延びた３つの底面部４０それぞれの先端の位置は、主軸部２０の長手方向に対して略直交する方向における３つの突起部２１それぞれの位置よりも、主軸部２０から離れた位置に存在する。
【００７２】
また、３つの底面部４０それぞれの先端が位置すると共に、第２の仮想平面２２すなわち第２の仮想上平面２２Ａや第２の仮想下平面２２Ｂが拡がった方向と同じ方向へ拡がった仮想平面を、第３の仮想平面４０Ａとする。
そして、第２の仮想下平面２２Ｂと第３の仮想平面４０Ａとの間の距離は、第１の仮想平面３１Ａと第２の仮想上平面２２Ａとの間の距離と略同じである。
【００７３】
また、底面部４０はシリコーンゴム製であるので、弾性変形可能である。
【００７４】
ここで、本発明の圧力調整弁は、必ずしも底面部を備えていなくてもよい。
しかし、本発明の圧力調整弁が底面部を備えていれば、天面部の一部の凸部が蓋の外側面から離れた状態または天面部の凸部全体が蓋の外側面から離れた状態を安定させることができるので好ましい。
【００７５】
また、底面部の数は必ずしも３つでなくてもよく、例えば１〜２つ、または４つとすることができる。
【００７６】
また、本発明の圧力調整弁において底面部は必ずしも、突起部を一部に有する突起領域との間に段差を形成するように、主軸部の他端に連接されていなくてもよい。
しかし、底面部がこのように主軸部の他端に連接されていれば、突起部と底面部とが一直線上に配置された構成となり、一直線上に配置された突起部と底面部とによって容器の蓋を安定して挟み易いので好ましい。
【００７７】
また、本発明の圧力調整弁において、必ずしも凸部は環状に配置されていなくてもよく、また、必ずしも主軸部は、互いに等間隔に位置する３つすなわち複数の突起部を有していなくてもよい。
【００７８】
しかし、凸部が環状に配置され、主軸部がこのような複数の突起部を有していれば、天面部の凸部全体を容器の蓋の外側面から離すことができ、また、この状態を安定して維持し易くなり、本発明の圧力調整弁が貫通穴を塞いでいない状態、すなわち開状態であることをさらに明確に示すことができるので好ましい。
また、本発明の圧力調整弁が貫通穴を塞いだ状態、すなわち閉状態である場合には、主軸部の長手方向を中心とした周方向において均一に凸部の応力が生じ、周方向において均一に密封状態を強めることができるので好ましい。
【００７９】
また、主軸部は、例えば１つの突起部、２つの突起部、または４つ以上の突起部を有することもできる。
【００８０】
また、本発明の圧力調整弁において、必ずしも突起部は弾性変形可能でなくてもよく、また、必ずしも突起部の外形は湾曲していなくてもよい。
しかし、このような突起部であれば、主軸部が容器の蓋の貫通穴に挿通された状態の本発明の圧力調整弁の天面部が、引っ張られたり天面部が押されたりしたときに、突起部が貫通穴の縁に当たりながらも縁を乗り越え易くなるので、本発明の圧力調整弁が貫通穴を塞いでいない状態、すなわち開状態と、閉状態との間の切り換えを、使用者の手に感じさせ易くすることができ、好ましい。
【００８１】
また、本発明の圧力調整弁の主軸部において、必ずしも３つの隙間形成領域と３つの突起領域とは交互に存在していなくてもよく、例えば３つの突起領域が、主軸部の長手方向を中心とした周方向において連接した構成とすることもできる。
しかし、隙間形成領域と突起領域とが交互に存在していれば、容器の内部の気体を、貫通穴の縁と隙間形成領域との間の隙間から偏りなく容器の外部へ放出することができ、また、天面部の凸部全体を容器の蓋の外側面から離すことができ、さらに、この状態を安定して維持し易くなり、本発明の圧力調整弁が開状態であることをさらに明確に示すことができるので好ましい。
【００８２】
また、突起部が弾性変形可能な本発明の圧力調整弁において、必ずしも第１の仮想平面と第２の仮想上平面すなわち第２の仮想平面との間の距離は、蓋の厚みより短い距離でなくてもよい。
しかし、第１の仮想平面と第２の仮想平面との間の距離が蓋の厚みより短い距離であれば、突起部が弾性変形しない構成よりも凸部を容器の蓋に密着でき、密封状態をさらに強めることができるので好ましい。
【００８３】
また、本発明の圧力調整弁において、必ずしも天面部は掴み部を有していなくてもよい。
しかし、天面部が掴み部を有していれば、使用者は掴み部を掴んで天面部の少なくとも一部を持ち上げ、少なくとも一部の凸部を容器の蓋の外側面から離し易くすることができるので好ましい。
【００８４】
また、本発明の圧力調整弁において、必ずしも天面部に中央窪み部と凹部が形成されていなくてもよい。
しかし、天面部に中央窪み部と凹部が形成されていれば、天面部が弾性変形し易くなり、少なくとも一部の凸部が容器の蓋の外側面から離れ易くなるので好ましい。
【００８５】
また、突起部と、主軸部と、天面部と、底面部とが全て、必ずしもシリコーンゴム製でなくてもよく、例えば天面部だけがシリコーンゴム製であり、主軸部など他の部材は違う素材で構成されていてもよい。
しかし、突起部と、主軸部と、天面部と、底面部とが全てシリコーンゴム製であれば、本発明の圧力調整弁を、弾性変形可能な素材で一体的に成形できるので好ましい。
また、シリコーンゴムに限らず、別の素材であっても、突起部と、主軸部と、天面部と、底面部とが全て同じ弾性変形可能な素材であれば同様に一体的に成形できる。
【００８６】
次に、図面を参照しながら、本発明の圧力調整弁を用いた圧力調整について説明する。
図４は、密封容器の蓋に取付けられた本発明を適用した圧力調整弁が閉状態である場合の概略断面図である。
また、図５は、閉状態である本発明を適用した圧力調整弁が、密封容器の内圧を下げるときの様子の一例を示す概略断面図である。
また、図６は、密封容器の蓋に取付けられた本発明を適用した圧力調整弁が開状態である場合の概略断面図である。
【００８７】
図４に示すように、本発明の圧力調整弁１０は、焙煎されたコーヒー豆５３が収容された密封容器５０の蓋５１に、着脱可能に取付けられて使用される。
すなわち、蓋５１の略中央部分に形成された貫通穴５１Ａに、本発明の圧力調整弁１０の主軸部２０が挿通されて、本発明の圧力調整弁１０が蓋５１に着脱可能に取付けられている。
【００８８】
このとき、底面部４０が、密封容器５０の容器本体５２の内部空間に位置しており、天面部３０が、蓋５１の外側面すなわち容器本体５２の内部空間に向く内側面とは反対側の面と接している。
すなわち、天面部３０の凸部３１の先端が蓋５１の外側面に当接している。
【００８９】
また、凸部３１の先端が位置する第１の仮想平面３１Ａと、本発明の圧力調整弁１０が閉状態のときに、突起部２１の蓋５１と接する一部が位置する第２の仮想上平面２２Ａとの間の距離が、蓋５１の厚みより短い距離である。
【００９０】
従って、天面部３０の凸部３１と主軸部２０の突起部２１とで蓋５１を挟み、凸部３１と突起部２１とが蓋５１によって押され、天面部３０の弾性変形によって凸部３１が元の位置に戻ろうとする力、すなわち応力と、突起部２１の弾性変形によって突起部２１が元の位置に戻ろうとする力とが生じる。
そして、凸部３１の応力と突起部２１の応力はどちらも蓋５１を押す力であると共に互いに反対側から蓋５１を押すので、凸部３１を蓋５１に密着でき、密封状態を強めることができる。
【００９１】
また、凸部３１は受圧領域３２と同一の平面から突出しているので、凸部３１の先端が蓋５１の外側面に当接しているとき、受圧領域３２は蓋５１の外側面に当接しておらず、受圧領域３２と蓋５１の外側面との間には受圧空間５５が形成されている。
【００９２】
また、主軸部２０の隙間形成領域２０Ｂと蓋５１の貫通穴５１Ａの縁との間に隙間が形成されており、この隙間と受圧空間５５は連通している。
【００９３】
また、焙煎されたコーヒー豆５３からは、炭酸ガス５４が放出されている。
そして、コーヒー豆５３から放出された炭酸ガス５４によって、密封容器５０の内部すなわち、蓋５１と容器本体５２とで囲まれた空間内の気圧が上昇する。
本発明の圧力調整弁１０の天面部３０が有する凸部３１が、密封容器５０の蓋５１に密着して密封状態を強めているからである。
【００９４】
また、コーヒー豆５３から放出された炭酸ガス５４は、主軸部２０の隙間形成領域２０Ｂと蓋５１の貫通穴５１Ａの縁との間の隙間を通過し、さらに受圧空間５５内へ流入する。
受圧空間５５内へ流入した炭酸ガス５４によって天面部３０の受圧領域３２が圧力を受け、受圧領域３２が受けた圧力が凸部３１の応力を上回ると、天面部３０が弾性変形し、凸部３１の先端が図５に示すように蓋５１の外側面から離れ、凸部３１の先端と蓋５１の外側面との間に隙間が生じる。
【００９５】
その結果、炭酸ガス５４は、凸部３１の先端と蓋５１の外側面との間の隙間から密封容器５０の外部へと流出する。
また、凸部３１の先端と蓋５１の外側面との間に隙間が生じた状態は、密封容器５０の外部と密封容器５０の内部とが連通した状態である。
【００９６】
従って、密封容器５０の内部すなわち、蓋５１と容器本体５２とで囲まれた空間内の炭酸ガス５４は、主軸部２０の隙間形成領域２０Ｂと蓋５１の貫通穴５１Ａの縁との間の隙間を通過して、さらに凸部３１の先端と蓋５１の外側面との間の隙間から密封容器５０の外部へ流出する。
【００９７】
次に、炭酸ガス５４が密封容器５０の外部へ流出するので、蓋５１と容器本体５２とで囲まれた空間内の気圧が低下する。
蓋５１と容器本体５２とで囲まれた空間内の気圧が低下すると、天面部３０の受圧領域３２が受ける圧力も低下するので、弾性変形した天面部３０が元の形状に戻り、再び凸部３１の先端が蓋５１の外側面に当接する。
【００９８】
そして再び、炭酸ガス５４によって、蓋５１と容器本体５２とで囲まれた空間内の気圧が上昇すると、再び天面部３０が弾性変形して凸部３１の先端と蓋５１の外側面との間に隙間が生じ、炭酸ガス５４が密封容器５０の外部へ流出し、蓋５１と容器本体５２とで囲まれた空間内の気圧が低下する。
このようにして、本発明の圧力調整弁１０は、密封容器５０の内部の圧力を調整できる。
【００９９】
また、本発明の圧力調整弁１０が備える主軸部２０は、３つの突起部２１を有し、３つの突起部２１の、主軸部２０の長手方向における位置は互いに略同じであり、さらに、３つの突起部２１は、主軸部２０の長手方向を中心とした周方向において互いに等間隔に位置する。
【０１００】
従って、図４に示す本発明の圧力調整弁１０の例えば天面部３０が、蓋５１から離れる方向へ引っ張られ、３つの突起部２１が蓋５１の貫通穴５１Ａの縁を乗り越えて蓋５１の外側面に接した状態すなわち、図６に示す状態となったときに、天面部３０の凸部３１全体を密封容器５０の蓋５１から離すことができ、また、この状態を安定して維持し易い。
その結果、本発明の圧力調整弁１０が開状態であることを明確に示すことができる。
すなわち、本発明の圧力調整弁１０は、密封容器５０の蓋５１に形成された貫通穴５１Ａを塞いだ状態か否かを認識され易い。
【０１０１】
また、図示していないが、３つの突起部２１の中の例えば１つの突起部２１だけが蓋５１の貫通穴５１Ａの縁を乗り越えて蓋５１の外側面に接した状態も、天面部３０の凸部３１が部分的に蓋５１から離れており、本発明の圧力調整弁１０が貫通穴５１Ａを塞いでいない状態なので開状態である。
そして、本発明の圧力調整弁１０は、１つの突起部２１だけが蓋５１の貫通穴５１Ａの縁を乗り越えて蓋５１の外側面に接した状態も安定して維持し易い。
その結果、本発明の圧力調整弁１０は、このような開状態であることも明確に示すことができる。
【０１０２】
以上のように、本発明の圧力調整弁は、貫通穴の縁との間に隙間を形成可能な主軸部と、凸部を有すると共に弾性変形可能な天面部とを備えているので、主軸部が容器の蓋の貫通穴に挿通された状態のときに、凸部が蓋の外側面に当接して本発明の圧力調整弁は容器を密閉することができると共に、主軸部が貫通穴の縁との間に隙間を形成可能なので、弾性変形して少なくとも一部の凸部が蓋から離れて容器の外部と容器の内部とを連通し、容器の内部の圧力を低下させることができる。
【０１０３】
また、本発明の圧力調整弁は、突起部を有する主軸部と、主軸部の長手方向と同じ方向における凸部の位置が長手方向と同じ方向における突起部の位置よりも連接箇所の近くにある天面部とを備えているので、突起部を容器の蓋の外側面に当接させたときに、天面部の少なくとも一部の凸部が蓋の外側面から離れた状態を維持しておくことができる。
【０１０４】
さらに、本発明の圧力調整弁は、このような主軸部と天面部とを備えているので、本発明の圧力調整弁を容器の蓋に取付けたときに、凸部が位置すると共に長手方向に対して略直交する方向へ拡がった仮想平面と、突起部が位置すると共に長手方向に対して略直交する方向へ拡がった仮想平面との間に容器の蓋が位置することになる。
そして、凸部と突起部の両方が蓋に当接して押されると、天面部の弾性変形によって凸部が元の位置に戻ろうとする力、すなわち応力が生じ、この応力が蓋を押す力となる。その結果、突起部が無い構成よりも凸部を容器の蓋に密着させ易くなり密封状態を強めることができる。
【０１０５】
従って、本発明の圧力調整弁は、容器内部の圧力を調整できると共に、容器の蓋に形成された貫通穴を塞いだ状態か否かを認識され易い。
また、コーヒー豆に限定されることなく、例えば発酵してガスを発生する食品を保存するための容器に、本発明の圧力調整弁を使用できることは勿論である。
【符号の説明】
【０１０６】
１０    圧力調整弁
２０    主軸部
２０Ａ  突起領域
２０Ｂ  隙間形成領域
２１    突起部
２２    第２の仮想平面
２２Ａ  第２の仮想上平面
２２Ｂ  第２の仮想下平面
３０    天面部
３１    凸部
３１Ａ  第１の仮想平面
３２    受圧領域
３３    掴み部
３４    凹部
３５    中央窪み部
３６    連接箇所
４０    底面部
４０Ａ  第３の仮想平面
５０    密封容器
５１    蓋
５１Ａ  貫通穴
５２    容器本体
５３    コーヒー豆
５４    炭酸ガス
５５    受圧空間
【要約】      （修正有）【課題】容器内部の圧力を調整できると共に、容器の蓋に形成された貫通穴を塞いだ状態か否かを認識され易い圧力調整弁を提供する。【解決手段】圧力調整弁１０は、主軸部２０と、主軸部２０に連接された天面部３０とを備える。主軸部２０は長手方向に延びており、長手方向に対して略直交する方向へ突起した３つの突起部２１を有する。主軸部２０は隙間形成領域２０Ｂを有し、密封容器５０の蓋５１に形成された貫通穴５１Ａに主軸部２０が挿通され、隙間形成領域２０Ｂと貫通穴５１Ａの縁との間に隙間が形成される。３つの突起部２１が蓋５１の外側面に接した状態となったときに、天面部３０の凸部３１全体を蓋５１から離すことができ、この状態を安定して維持し易い。【選択図】図４【図１】
0006964911.tif 000002
【図２】
0006964911.tif 000003
【図３】
0006964911.tif 000004
【図４】
0006964911.tif 000005
【図５】
0006964911.tif 000006
【図６】
0006964911.tif 000007
【図７】
0006964911.tif 000008